(57)【特許請求の範囲】
【請求項１】
天板の下面側に位置して出し入れ可能に設けられるとともに、底部及び側部を備えて構成された引き出しにおいて、
前記底部は、当該底部の高さ位置が相違する複数段の収納領域を備え、
前記収納領域は下段収納領域と、この下段収納領域を中間に含む上段収納領域とにより構成されていることを特徴とする引き出し。
【請求項２】
天板の下面側に位置して出し入れ可能に設けられるとともに、底部及び側部を備えて構成された引き出しにおいて、
前記底部は、当該底部の高さ位置が相違する複数段の収納領域を備え、
前記収納領域は、前記出し入れ方向に沿って延びることを特徴とする引き出し。
【請求項３】
前記収納領域は、前記出し入れ方向に沿って延びることを特徴とする請求項１記載の引き出し。
【請求項４】
前記複数段の収納領域は、一枚の底部を屈曲形成することによって形成されていることを特徴とする請求項１又は２記載の引き出し。
【発明の詳細な説明】
【０００１】
【発明の属する技術分野】
本発明は引き出しに係り、更に詳しくは、収納対象となる用紙の平面サイズに応じて分別収納を行うことのできる引き出しに関する。
【０００２】
【従来の技術】
オフィス等に導入されているテーブルとして、事務用品を身近に備えておくことができるようにするため、引き出しを備えたタイプのものが知られている。このタイプのテーブルは、袖机、ワゴン等の引き出しに比べて収納平面積を大きく確保することができ、従って、標準規格でＡ４サイズの用紙よりも大きなＡ１サイズの用紙等の収納も可能とすることができる。
【０００３】
【発明が解決しようとする課題】
しかしながら、規格の異なるサイズの用紙を引き出しに収納した場合には、それらが混じり合って収納されてしまうため、目的とする用紙を取り出すときに、多数枚の用紙を捲って目的とする用紙を探し出さなければならないという不都合がある。
【０００４】
【発明の目的】
本発明は、このような不都合に着目して案出されたものであり、その主たる目的は、規格が異なる用紙を収納する際に、領域を分けて分別した収納が行えるようにし、目的とする用紙を取り出す際に、容易に取り出すことが可能となる引き出しを提供することにある。
【０００５】
【課題を解決するための手段】
前記目的を達成するため、本発明は、天板の下面側に位置して出し入れ可能に設けられるとともに、底部及び側部を備えて構成された引き出しにおいて、
前記底部は、当該底部の高さ位置が相違する複数段の収納領域を備え、
前記収納領域は下段収納領域と、この下段収納領域を中間に含む上段収納領域とにより構成される、という構成を採っている。このような構成により。各収納領域のサイズに応じた用紙を収納することができ、小さなサイズの用紙が大きなサイズの用紙に紛れることがなく、収納された用紙の中から目的の用紙を取り出すことを容易に行うことができる。
また、上段収納領域に収納すべき用紙が下段収納領域を跨ぐように収納されるようになり、上段収納領域に収納された用紙に撓み変形癖が残らないようにすることができる。
【０００７】
また、本発明は、天板の下面側に位置して出し入れ可能に設けられるとともに、底部及び側部を備えて構成された引き出しにおいて、
前記底部は、当該底部の高さ位置が相違する複数段の収納領域を備え、
前記収納領域は、前記出し入れ方向に沿って延びる、という構成を採っている。これにより、引き出しを大きく引き出さなくても各収納領域に収納されている用紙の取り出しが可能となる。
【０００８】
更に、前記複数段の収納領域は、一枚の底部を屈曲形成することによって形成される、という構成を採ることが好ましく、これによって、従来の引き出し構造を僅かに設計変更するだけで足りるようになり、コスト的な不利益も回避することができる。
【０００９】
【実施例】
以下、本発明の実施例を図面を参照しながら説明する。
【００１０】
図１には、本実施例に係るテーブルの正面図が示され、図２には、その右側面図が示されている。これらの図において、テーブル１０は、平面形状が略長方形となる天板１１と、この天板１１の下面各コーナー近傍に位置する四本の脚部１２と、前記天板１１の下面中央部に配置されて天板１１の長手方向に沿って移動可能な引き出し１３とを備えて構成されている。
【００１１】
前記引き出し１３は、天板１１の下面に固定された一対のガイド１５，１５を介して図１中左右何れの方向にも出し入れ可能に設けられている。この引き出し１３は、図３ないし図５に示されるように、平面視で略長方形となる底部２０と、この底部２０の外周側に位置するとともに相互に向き合う各一対の側部２１，２１及び２２，２２と、長手方向両側に位置する側部２２，２２の外側にそれぞれ設けられた一対のペントレイ２５，２５と、これらペントレイ２５，２５の各外側に設けられた一対のバーからなる把手２６，２６と、前記底部２０上に配置された昇降手段３０とを備えて構成されている。
【００１２】
引き出し１３の底部２０は、当該底部２０の高さ位置が相違する収納領域Ｓを備えて構成されている。すなわち、収納領域Ｓは、引き出し１３の長手方向（図１中左右方向）に沿って延びる下段収納領域Ｓ１と、この下段収納領域Ｓ１の短寸幅方向両側に位置する一対の上段収納領域Ｓ２，Ｓ２とからなる。本実施例における下段収納領域Ｓ１は、特に限定されるものではないが、その短寸方向幅が標準規格Ａ４用紙の縦幅より若干大きい程度とされている。また、引き出し１３の側部２１，２１の内面間幅、すなわち、下段収納領域Ｓ１及び両側に位置する上段収納領域Ｓ２，Ｓ２の全体幅は、Ａ１用紙の縦幅よりも若干大きい程度とされている。
【００１３】
前記下段収納領域Ｓ１と上段収納領域Ｓ２，Ｓ２は略鉛直面内に向く段部３２を介して連なっており、当該段部３２の面内に形成された複数の穴３３を利用することによって昇降手段３０が取付位置を変更可能に配置されている。この昇降手段３０は、図４に示されるように、下段収納領域Ｓ１において、相対する穴３３，３３間に回転可能に支持される移動部材としての二つの回転体３５，３５と、この回転体３５，３５に装着されてプロジェクターＰを載せることができる支持体としてのプレート３６とを備えて構成されている。回転体３５は金属線材により構成されており、当該回転体３５は、穴３３の軸線方向に沿う一対の回転中心軸部３８，３８と、これら回転中心軸部３８，３８の内方端に連なるコ字状軸部３９とからなる。回転中心軸部３８の外方端において、前記段部３２の外面側には板片状のストッパ４０が配置され、当該ストッパ４０の外面側から挿入されるねじ４１を回転中心軸部３８にねじ込むことによって当該回転中心軸部３８とストッパ４０が一体化されるようになっている。
【００１４】
前記支持体を構成するプレート３６は平面視略方形に形成されているとともに、その下面側四箇所に連結足４２を備えて構成されている。連結足４２は、前記回転体３５におけるコ字状軸部３９に嵌め込み可能に設けられるとともに、当該嵌め込みによってプレート３６を回転体３５に着脱可能に装着でき、前記底部２０，回転体３５及びプレート３６によって、略平行四辺形リンクが構成されるようになっている。
【００１５】
前記昇降手段３０とプロジェクターＰの全体的な高さは、前記回転体３５が略水平位置（図１参照）に移動したときを初期位置として天板１１以下に収まるようになっており、回転体３５を回転移動させて起立位置としたときの上昇位置（図６及び図７参照）でプロジェクターＰの上部が天板１１の上面側に位置し、当該位置で図示しないスクリーンに所定の投影が行えるようになっている。
【００１６】
次に、本実施例における作用について説明する。
【００１７】
昇降手段３０のプレート３６上にプロジェクターＰを載せた状態で引き出し１３を天板１１下に収める場合には、回転体３５を略水平姿勢に倒伏して下方移動位置に保った初期位置とすればよい。プロジェクターＰを使用する場合には、引き出し１３を所定量だけ天板１１の外周端より引き出す。そして、プレート３６を持って手動操作で上昇力を付与することで、回転体３５がリンク作用で起立する方向に回転することとなる。図６及び図７に示されるように、回転体３５が初期位置から９０度を超えて回転すると、ストッパ４０の端部が上段収納領域Ｓ２の底部２０の下面側に接するようになり、以後の回転を規制した状態でプレート３６の高さ位置を決定することとなる。
【００１８】
この位置で、プロジェクターＰは天板１１によって投影を妨げられない位置となり、当該位置で直ちに所定の投影を天板１１上若しくはこれの近傍に設置される図示しないスクリーンに直ちに投影することができる。この際、プレート３６の平面サイズが、ノート型パソコンをも載せることができる大きさとなっていれば、引き出し１３内に、ノート型パソコンもプロジェクターＰと共に収納しておくことが可能となり、デジタル・プレゼンテーションを行うことができる。
【００１９】
また、図８に示されるように、引き出し１３の収納領域Ｓを利用する場合において、下段収納領域Ｓ１にはＡ４規格以下のサイズを有する用紙Ｐ１を収納することができる。この一方、上段収納領域Ｓ２，Ｓ２及び下段収納領域Ｓ１を合わせた全体領域には、Ａ４規格以上の用紙であってＡ１規格以下の用紙Ｐ２を収納することができ、これによって、サイズの異なる用紙Ｐ１，Ｐ２を混同させることなく収納可能となる。この場合、下段収納領域Ｓ１に収納された用紙Ｐ１は、上段収納領域Ｓ２に収納された書類Ｐ２を捲り上げるだけで取り出すことができる。
【００２０】
従って、このような実施例によれば、プロジェクターＰ等の電子機器を天板１１下に常備させることができる一方、使用に際して、天板１１の上面を利用することなくプロジェクターＰを使用位置にセットすることが可能となる。
【００２１】
また、収納領域Ｓが二段に区分されているため、用紙サイズに応じた分別収納が可能となり、サイズが異なる用紙Ｐ１，Ｐ２を収納した場合でも、目的とする用紙の取り出しを極めて容易に行うことができる。
【００２２】
なお、前記実施例では、昇降手段３０が引き出し１３の片側一箇所に設けられた場合を図示、説明したが、本発明はこれに限定されるものではなく、引き出し１３内の反対側にも昇降手段３０を配置して取り付けることができる。また、昇降手段３０の取付位置も図示構成例に限らず、必要に応じて変更することが可能である。但し、昇降手段３０を引き出し１３の端部寄りに配置すれば、プロジェクターＰを使用する際の引き出し量を最小化できる点で有利となる。
【００２３】
また、昇降手段３０は、プレート３６の上面位置が上下方向に調整できる構成である限り設計変更することができる。
【００２４】
更に、前記実施例では、下段収納領域Ｓ１と上段収納領域Ｓ２の二段に設けたが、更に収納領域を細分化することもできる。要するに、収納領域Ｓは、サイズの異なる用紙を分別して収納することができるように形成されていれば足りる。また、下段収納領域Ｓ１及び上段収納領域Ｓ２のサイズは限定されるものではない。更に、収納領域としては、下段収納領域Ｓ１と上段収納領域Ｓ２の二段とした例を図示、説明したが、三段以上で各種サイズの用紙を収納可能とすることもできる。また、収納領域Ｓは引き出し１３の出し入れ方向に沿って延びる構成に代えて、出し入れ方向を横切る方向、すなわち、出し入れ方向に対して同一平面内で直交する方向に収納領域が延びるようにしてもよい。
【００２５】
【発明の効果】
以上説明したように、本発明によれば、引き出しの底部が、当該底部の高さ位置が相違する少なくとも複数段の収納領域を備えて構成されているから、各収納領域のサイズに応じた用紙を収納することができ、小さなサイズの用紙が大きなサイズの用紙に紛れることがなく、収納された用紙の中から目的の用紙を取り出すことを容易に行うことができる。
【００２６】
また、前記収納領域は下段収納領域と、これを中間に含む上段収納領域とにより構成されているから、上段収納収納領域に収納すべき用紙が下段収納領域を跨ぐように収納されるようになり、上段収納領域に収納された用紙に撓み変形癖が残ることもない。
【００２７】
更に、前記収納領域を前記出し入れ方向に沿って延びるように設けた構成によれば、引き出しを大きく引き出さなくても各収納領域に収納されている用紙の取り出しが可能となる。
【００２８】
また、前記複数段の収納領域は、一枚の底部を屈曲形成することによって形成されているため、従来の引き出し構造を僅かに設計変更するだけでよく、コスト的な不利益も回避することができる。
【図面の簡単な説明】
【図１】実施例に係るテーブルの正面図。
【図２】前記テーブルの右側面図。
【図３】引き出しの概略斜視図。
【図４】昇降手段を分解した状態を示す斜視図。
【図５】引き出しを引き出した使用状態を示す概略斜視図。
【図６】前記使用状態を示す拡大側面図。
【図７】図６の一部拡大図。
【図８】収納領域Ｓの利用方法の一例を示す概略断面図。
【符号の説明】
１０  テーブル
１１  天板
１３  引き出し
２０  底部
２１  側部
２２  側部
Ｓ  収納領域
Ｓ１  下段収納領域
Ｓ２  上段収納領域
Ｐ１  用紙
Ｐ２  用紙
【図１】
0004770097.tif 000002
【図２】
0004770097.tif 000003
【図３】
0004770097.tif 000004
【図４】
0004770097.tif 000005
【図５】
0004770097.tif 000006
【図６】
0004770097.tif 000007
【図７】
0004770097.tif 000008
【図８】
0004770097.tif 000009